(57)【要約】固定ストラップ構成体（代表的には、荷物または他の品物を固定するため）は、弾性伸縮可能長さ部分（１０）、および実質的に弾性伸縮不能長さ部分（５）を有する（これは、実質的に弾性収縮不能長さ部分（５）の有効長を変化させるための構成体を備える）。好ましい実施形態において、この構成体は、伸縮可能長さ部分（１０）を伸長するテンショナーグリップ（９）およびテンショナーグリップロケーター（１１）を備える。その結果、このテンショナーグリップ（９）は、複数の配置位置のうちの１つにおけるテンショナーグリップロケーター（１１）と解放可能に係合し得、この位置配置は、このストラップ構成体の長手軸歩行に間隔を空けて配置され得る。
2005525258.tif 000002
【特許請求の範囲】
【請求項１】
固定ストラップ構成体であって、以下：
ａ）弾性伸縮可能長さ部分；および
ｂ）実質的に弾性伸縮不能長さ部分であって、該部分は、該弾性伸縮不能長さ部分の有効長を変化させるための手段、を備える、実質的に弾性伸縮不能長さ部分、
を備える、固定ストラップ構成体。
【請求項２】
請求項１に記載の固定ストラップ構成体であって、前記実質的に伸縮不能長さ部分は、以下：
ｉ）前記伸縮可能長さ部分を伸長するテンショナーグリップ；および
ｉｉ）テンショナーグリップロケーター部分であって、該テンショナーグリップは、複数の配置位置のうちの１つにおける該テンショナーグリップロケーター部分と解放可能に係合するように適合するように構成されており、該配置位置は、該ストラップ構成体の長手軸方向に間隔を開けて配置されている、テンショナーグリップロケーター部分、
を備える、固定ストラップ構成体。
【請求項３】
請求項２に記載の固定ストラップ構成体であって、前記テンショナーグリップは、前記グリップロケーター部分の１以上の補完的係合形成体と嵌合により係合する（ｍａｔｉｎｇｌｙ  ｅｎｇａｇｅ）ように適合されており；前記グリップロケーター部分の該係合形成体は、該ストラップ構成体の長手軸方向に間隔を空けて配置されている、固定ストラップ構成体。
【請求項４】
請求項２または３に記載の固定ストラップ構成体であって、前記グリップロケーター部分は、該ストラップ構成体の長手軸方向に間隔を空けて配置された、複数の同様の形成体を備える、固定ストラップ構成体。
【請求項５】
請求項２〜４のいずれかに記載の固定ストラップ構成体であって、前記グリップロケーター部分または前記テンショナーグリップのうちの一方の前記係合形成体は、雄型形成体を備え；他方の係合形成体は、雌型形成体を備える、固定ストラップ構成体。
【請求項６】
請求項２〜５のいずれかに記載の固定ストラップ構成体であって、前記グリップロケーター部分および前記テンショナーグリップにある前記係合形成体は、該形成体が、雌型構成体の口型部分から雄型構成体のルート型部分へと係合し、前記伸縮可能長さ部分の応力が弛緩するように対応して角度がつけられている、固定ストラップ構成体。
【請求項７】
請求項２〜６のいずれかに記載の固定ストラップ構成体であって、前記テンショナーグリップは、前記グリップロケーター部分の、一連の間隔を空けて配置されたロケーター形成体を含む１以上の選択された直立形成体と常に係合するための凹部形成体を備える、固定ストラップ構成体。
【請求項８】
請求項２〜７のいずれかに記載の固定ストラップ構成体であって、前記テンショナーグリップは、１以上のフィンガー受容形成体を備えるハンドグリップを備える、固定ストラップ構成体。
【請求項９】
請求項１〜８のいずれかに記載の固定ストラップ構成体であって、該構成体は、該ストラップ構成体の一方の端部または両端部の近辺に、例えば、別の構造体を固定するための固定形成体を備える、固定ストラップ構成体。
【請求項１０】
請求項８に記載の固定ストラップ構成体であって、フック構成要素が、該ストラップ構成体の一方の端部または両端部の近辺に設けられている、固定ストラップ構成体。
【請求項１１】
請求項１〜１０のいずれかに記載の固定ストラップ構成体であって、前記伸縮可能長さ部分は、弾性伸長可能／弛緩可能長さ部分を備える、固定ストラップ構成体。
【請求項１２】
請求項１〜１１のいずれかに記載の固定ストラップ構成体であって、前記伸縮可能長さ部分は、実質的に平行に構成された、複数の、弾性伸長可能／弛緩可能長さを備える、固定ストラップ構成体。
【請求項１３】
請求項１〜１２のいずれかに記載の固定ストラップ構成体であって、実質的に伸縮不能なウェブを備える、固定ストラップ構成体。
【請求項１４】
請求項１３に記載の固定ストラップ構成体であって、前記実質的に伸縮不能なウェブは、前記テンショナーグリップと伸縮可能長さ部分の間に設けられている、固定ストラップ構成体。
【請求項１５】
請求項１〜１４のいずれかに記載の固定ストラップ構成体であって、前記伸縮可能長さ部分の伸長状態とは無関係に、該ストラップ構成体の長さ全体の調節を容易にするように設けられた長さ調節手段をさらに備える、固定ストラップ構成体。
【請求項１６】
請求項１５に記載の固定ストラップ構成体であって、前記長さ調節手段は、実質的に伸縮不能なウェブの一部に接続されたバックルを備え、該ウェブは、該ウェブ部分の有効長を調節するように、該バックルを通して、選択可能な程度に送り込まれる、固定ストラップ構成体。
【請求項１７】
請求項１〜１６のいずれかに記載の固定ストラップ構成体であって、フックのような端部構成要素の基部と解放可能に接続するためのコネクタデバイスをさらに備え、該基部は、該コネクタデバイスと嵌合するように受容され、該基部およびコネクタデバイスは、第１の構成では該基部の解放を抑制するために、第２の構成では該基部の解放を可能にするように構成された補完的固定形成体を有し；作動手段が、該第１の構成と該第２の構成との間の固定形成体の相対的再配向を可能にするコネクタデバイスのために設けられる、固定ストラップ構成体。
【請求項１８】
固定ストラップ構成体のためのテンショナー構成体であって、該テンショナー構成体は、以下：
ａ）伸縮可能長さ部分；
ｂ）該伸縮可能長さ部分を伸長するテンショナーグリップ；および
ｃ）テンショナーグリップロケーター部分であって、該テンショナーグリップが、複数の配置位置のうちの１つにおける該テンショナーグリップロケーター部分と解放可能に係合するように適合され、該配置位置は、該ストラップ構成体の長手軸方向に間隔を空けて配置されている、テンショナーグリップロケーター部分、
を備える、テンショナー構成体。
【請求項１９】
フックのような端部コネクタ構成要素の基部と解放可能に接続するためのコネクタデバイスであって、該基部は、該コネクタデバイスと嵌合するように受容され、該基部および該コネクタデバイスは、第１の構成では該基部の解放を抑制するために、第２の構成では該基部の解放もしくは嵌合を可能にするように構成された補完的固定形成体を有し；作動手段が、該第１の構成と該第２の構成との間に該固定形成体の相対的再配向を可能にするコネクタデバイスのために設けられる、コネクタデバイス。
【発明の詳細な説明】
【技術分野】
【０００１】
本発明は、固定ストラップ構成体およびそのためのテンショナー構成体に関する。
【背景技術】
【０００２】
伸縮性を持たせたバンジーストラップは、一般に、品物（ｉｔｅｍ）（例えば、荷物、サーフボードまたは同様の物）をルーフラックに固定するために使用されている。このようなストラップは、代表的には、取り付けおよび固定の目的で、対向した端部に、フックまたは同様のものを有する。
【０００３】
そこで、改善されたストラップ構成体が考案された。
【発明の開示】
【課題を解決するための手段】
【０００４】
本発明の第１の局面に従って、本発明は、以下を備える固定ストラップ構成体を提供する：
ａ）弾性伸縮可能長さ部分；および
ｂ）実質的に弾性伸縮不能長さ部分であって、この部分は、弾性伸縮不能長さ部分の有効長を変化させるための手段を備える、部分。
【０００５】
１つの実施形態において、上記弾性収縮不能長さ部分は、弾性収縮不能長さ部分の有効量を変化させるために、バックル、スライダーまたは類似の構成体を備えるウェブベルトなどを備え得る。
【０００６】
好ましい実施形態において、上記弾性収縮不能長さ部分は、好ましくは、以下を備える：
ｉ）前記伸縮可能長さ部分を伸長する（ｓｔｒｅｔｃｈ）テンショナーグリップ（ｔｅｎｓｉｏｎｅｒ  ｇｒｉｐ）；および
ｉｉ）テンショナーグリップロケーター部分（ｔｅｎｓｉｏｎｅｒ  ｇｒｉｐ  ｌｏｃａｔｏｒ  ｐｏｒｔｉｏｎ）であって、このテンショナーグリップは、複数の配置位置のうちの１つにおけるテンショナーグリップロケーター部分と解放可能に係合するように適合するように構成されており、この配置位置は、ストラップ構成体の長手軸方向に間隔を開けて配置されている、テンショナーグリップロケーター部分。
【０００７】
上記テンショナーグリップは、上記グリップロケーター部分の１以上の補完的係合形成体と嵌合により係合する（ｍａｔｉｎｇｌｙ  ｅｎｇａｇｅ）ように適合された１以上の係合形成体を有しており；上記グリップロケーター部分の係合形成体は、上記ストラップ構成体の長手軸方向に間隔を空けて配置されている。
【０００８】
好ましくは、上記グリップロケーター部分にある係合形成体は、上記ストラップの長手軸方向に間隔を空けて配置された、複数の同様の形成体を備える。
【０００９】
好ましくは、上記グリップロケーター部分または上記テンショナーグリップのうちの一方の係合形成体は、雄型形成体を備え；他方の係合形成体は、雌型形成体を備える。
【００１０】
望ましくは、上記グリップロケーター部分および上記テンショナーグリップにある係合形成体は、この形成体が、雌型構成体の口型部分から雄型構成体のルート型部分へと係合した場合に、上記伸縮可能長さ部分の応力が弛緩するように（好ましくは、ごくわずかに弛緩するように）、対応して角度がつけられている（または傾斜している）。
【００１１】
上記テンショナーグリップは、好ましくは、上記グリップロケーター部分の、一連の間隔を空けて配置されたロケーター形成体を含む１以上の選択された直立ロケーター形成体と常に係合するための凹部形成体を備える。有利には、上記テンショナーグリップは、１以上のフィンガー受容形成体を備えるハンドグリップを備える。
【００１２】
上記固定ストラップ構成体は、一方の端部または両端部の近辺に、固定形成体を備えることが好ましい。これにより、この構成体が、ルーフラックまたは同様のものに固定され得る。有利には、この構成体は、一方の端部または両端部の近くに、フック構成要素を備える。
【００１３】
上記伸縮可能長さ部分は、好ましくは、弾性伸長可能（ｓｔｒｅｔｃｈａｂｌｅ）／弛緩可能長さ部分を備える。上記収縮可能長さ部分は、有利には、実質的に平行に構成された、複数の、弾性伸長可能／弛緩可能長さを備える。
【００１４】
好ましい実施形態において、上記構成体は、好ましくは、実質的に伸縮不能なウェブ（ｗｅｂ）をさらに備える。有利には、上記実質的に伸縮不能なウェブは、上記テンショナーグリップと伸縮可能長さ部分の間に設けられている。
【００１５】
さらにまたはあるいは、上記構成体は、好ましくは、上記伸縮可能長さ部分の伸長状態とは無関係に、上記ストラップ構成体の長さ全体を調節する長さ調節手段を備える。
【００１６】
有利には、長さ調節手段は、実質的に伸縮しないウェブの一部に接続されたバックルを備え、このウェブ部分の有効な長さを調節するために、このウェブは、このバックルを通して、選択可能な程度まで供給される。
【００１７】
さらなる局面によれば、本発明は、固定ストラップ構成体のためのテンショナー（ｔｅｎｓｉｏｎｅｒ）構成体を備え、このテンショナー構成体は、以下を備える：
ａ）伸縮可能な長さ部分；
ｂ）この伸縮可能な全長部分を伸ばすためのテンショナーグリップ；および
ｃ）このテンショナーグリップが、複数のロケーター位置（この位置は、ストラップ構成体の長手軸方向で間隔を空けられる）のうち１つにおいてテンショナーグリップロケーター部分と取り外し可能に嵌合するように適合されるように配置された、テンショナーグリップロケーター部分。
【００１８】
なおさらなる局面によれば、本発明は、ストラップ全長部分を端部構成要素（例えば、フック）の基部に解放可能に接続するためのコネクタデバイスを提供し、この基部は、コネクタデバイスおよび基部を嵌合して受容し、そしてこのコネクタデバイスは、基部の解放を防止するための第一構成体を有する。第一構成と第二構成との間の固定構成の相対的再配向を可能にするコネクタデバイスについての、作動手段が提供される。
【００１９】
本発明は、例のみとして、添付の図面を参照して、特定の実施形態で本明細書中に記載されている。
【００２０】
図面、特に最初に図１を参照すると、（例えば、サーフボード、梱包ケースなどをルーフラックに）物品を固定するために使用され得る固定ストラップ構成体（概して１と称される）が示される。このストラップ構成体１は、対向する端部にて、コネクタデバイス３に接続されたフックコネクタ２を備え、これは、本明細書中以下で詳細に記載される。
【００２１】
このストラップ構成体は、実質的に伸長しないウェブ長さ部分４、５を備える；ウェブ長さ部分４は、一方の端部でコネクタデバイス３に接続され、そして他方の端部で成形プラスチッククラスプコネクタ６に接続される。一方の端部において、ウェブ長さ部分４は、バックル７に接続され、このバックル７がウェブ長さ部分４の有効な長さを調節するために作動可能であるように、コネクタデバイス３の開口部を介して、バックル７を通って戻して送り込まれる。
【００２２】
ウェブ長さ部分５は、その一方の端部で、成形プラスチッククラスプコネクタ８（クラスプコネクタ６と類似の指示）に接続され、そして他方の端部で成形プラスチックテンショナーグリップ９に接続される。
【００２３】
３つの間隔の空いた伸縮自在に伸長可能である弾性ゴム（ｂｕｎｇｙ）の長さ部分１０ａ、１０ｂ、１０ｃは、クラスプコネクタ６と８との間で伸びる。但し、ストラップ構成体の長さ部分は、弾性的に調節され得る。テンショナーグリップロケーター１１を有するストラップ構成体の他方の端部が提供され、その目的および性質は、本明細書中以下に詳細に記載される。
【００２４】
図３ａ、３ｂおよび４に最も明確に示されたテンショナーグリップロケーター長さ部分１１は、ピボット構成１３によって、縁から縁へと連結された一連のロケーター構成要素１２を備える。このロケーター構成要素１２は、代表的に、成形プラスチック構造のものである。
【００２５】
各ロケーター構成要素１２は、基礎部分１４、およびロケーター基礎１４に対して鋭角で傾いた直立弓型ロケーター突出部１５を備える。ロケーター突出部１５の傾きは、伸長可能な弾性ゴム長さ部分１０ａ、１０ｂ、１０ｃからはなれた方向で、根元部分１６から先端部１７へである。図４および図２ａ、２ｂ、２ｃに最も明らかに示されるように、テンショナーグリップ９（これはまた、代表的には、成形プラスチック材料から作製される）は、フィンガーグリップ凹部１８、受容凹部１９（それぞれのロケーター突出部１５を受容するため）およびさらなる適合凹部２０を備える。スロット２１が伸長しないウェブ長さ部分５の端部を受容するために提供される。
【００２６】
使用の際、受容凹部１９は、ロケーター突出部１５をぴったりと嵌合して受容するための形状および寸法である。（固定のために、その最大限まで弾性ゴムの長さ部分１０ａ、１０ｂ、１０ｃを伸ばすことによって）ストラップ構成体全体で適切な張力を生じさせるために、このテンショナーグリップ９は、一連の間隔の空いたロケーター１５にわたって（図１および図４中の矢印Ａの方向で）引っ張られる。次いで、この凹部１９は、ストラップ構成体全体に張力を適用するために、最も適切なロケーター突出部１５に位置する。弾性ゴム長さ部分１０ａ、１０ｂ、１０ｃは、弛緩して戻って、テンショナーグップ９を僅かに引き込み、そして受容凹部１９への適切なロケーター突出部１５の、ぴったり合ってかつ安定な嵌合を確実にする。
【００２７】
図面に示されるグリップロケーター長さ部分１１およびテンショナーグリップ９の特定の実施形態に対する代替として、フック型またはループ型の構成が重なったそれぞれの領域を含む協働構成要素（例えば、ＶＥＬＣＲＯ（登録商標））が使用され得る。他の固定構成体もまた、使用され得る。
【００２８】
本発明は、広範な種々の形状および寸法の物品が、ストラップ構成体を使用して（例えば、ルーフラックなどに）固定され得ることを提供する。これは、ストラップ構成体の全長が、（弾性ゴム長さ部分１０ａ、１０ｂ、１０ｃを介して）この構成体の弾性を維持して、復元性の固定特徴を提供しながら、（複数の有効な長さ部分の配向間のロケーター１１の全長に依存して）大きく変動し得ることに起因する。従って、有効長さ部分は、弾性ゴム長さ部分１０ａ、１０ｂ、１０ｃの弾性によって単に制限される。
【００２９】
種々のフックコネクタ２が、ストラップが固定される構造体（例えば、ルーフラック）の性質に依存して、提供され得る。このようなフックコネクタ２の例は、図９、１０および１１に示される。
【００３０】
ここで図５ａ〜図７を参照すると、さらに新たな特徴は、フックコネクタ２が固定されるフックコネクタデバイス（概して３と称される）およびフックコネクタ２の接続手段である。図面に示されるように、端部側方フランジ突出部２６、およびフランジコネクタ６から間隔が空けられたさらなる側方基部ショルダー突出部２７を備える、フックコネクタ２の基部端部が提供される。復元バネ３０によって引っ込められた位置に通常は撓められる作動構成要素２９を有する、フックコネクタデバイス３が提供される。作動構成要素２９は、より制限された開口部分３２ａおよびあまり制限されていない開口部分３２ｂを有するような形状にされた、中心開口部３２を備える、本体部分３２を備える。
【００３１】
フックコネクタ２の基部端部２５は、デバイス３の受容凹部３５へと導入され、その結果、フランジ２６に対向するテーパ状部分３６は、作動部２９の本体部分３１中のより制限された開口部３２ａを通される。次いで、その端部２５は、受容凹部３５から外れることを防止する。なぜなら、フランジ２６は、制限された開口部分３２ａの縁に接触しているからである。
【００３２】
コネクタデバイス３からフックコネクタ構成要素２を取り外すために、この作動部２９は、（図７の矢印Ｂの方向で）押圧され、フランジ２６が、作動部２９の本体部分３１中のあまり制限されていない開口部分３２ｂを介して引っ張られるようにする。この構成体は、ストラップ構成体が固定されるべきフレームワークまたは他の構成体に依存して、コネクタデバイス３への種々のフックの簡便な接続を提供する。
【図面の簡単な説明】
【００３３】
【図１】図１は、本発明に従う例示的な固定ストラップ構成体の平面図である。
【図２ａ】図２ａは、図１のストラップ構成体を備えるテンショナーグリップの上部平面図である。
【図２ｂ】図２ｂは、図１のストラップ構成体を備えるテンショナーグリップの側面図である。
【図２ｃ】図２ｃは、図１のストラップ構成体を備えるテンショナーグリップの底面図である。
【図３ａ】図３ａは、図１のストラップ構成体のテンショナーグリップロケーター長さ部分の平面図である。
【図３ｂ】図３ｂは、図３ａのテンショナーグリップロケーター長さ部分の側面図である。
【図４】図４は、テンショナーグリップとテンショナーグリップロケーター長さ部分との間の嵌合関係を、側面図で示す。
【図５ａ】図５ａは、本発明に従い、そして図１〜４に示されるストラップ構成体を備え得るストラップコネクタデバイスの平面図である。
【図５ｂ】図５ｂは、本発明に従い、そして図１〜４に示されるストラップ構成体を備え得るストラップコネクタデバイスの平面切断図である。
【図６】図６は、図５ａおよび図５ｂのストラップコネクタデバイスの側面図である。
【図７】図７は、図５ａ、図５ｂおよび図６のストラップコネクタデバイスの切断断面図である。
【図８】図８は、図５ａ〜図７のコネクタ構成体によって受容されるべき、フックコネクタの側面図である。
【図９】図９は、代替的フックコネクタを示す。
【図１０】図１０は、代替的フックコネクタを示す。
【図１１】図１１は、代替的フックコネクタを示す。
【図１】
2005525258.tif 000003
【図２ａ】
2005525258.tif 000004
【図２ｂ】
2005525258.tif 000005
【図２ｃ】
2005525258.tif 000006
【図３ａ】
2005525258.tif 000007
【図３ｂ】
2005525258.tif 000008
【図４】
2005525258.tif 000009
【図５ａ】
2005525258.tif 000010
【図５ｂ】
2005525258.tif 000011
【図６】
2005525258.tif 000012
【図７】
2005525258.tif 000013
【図８】
2005525258.tif 000014
【図９】
2005525258.tif 000015
【図１０】
2005525258.tif 000016
【図１１】
2005525258.tif 000017
【国際調査報告】
2005525258.tif 000018
2005525258.tif 000019
2005525258.tif 000020